(57)【要約】【課題】アクティブマトリックス有機発光装置の画素回路と駆動方法の提供。【解決手段】アクティブマトリックス有機発光装置の画素回路は、５個のトランジスタと１個のコンデンサを具え、第１トランジスタに制御線に連接されて、別の、前の１条の走査線に連接された第２トランジスタを、低電圧書き込み時に切断し、大電流の発生を防止し、電源線のレイアウト方式が組み合わされて電圧降下現象を防止し、輝度均一化の目的を達成する。【選択図】        図５
2004287376.tif 000002
【特許請求の範囲】
【請求項１】
アクティブマトリックス有機発光装置の画素回路において、該画素回路はディスプレイパネルのマトリックス式回路中に応用され、該マトリックス回路が複数条の平行配列された走査線、対応する走査線と平行な信号線及び制御線を具え、該画素回路は、
制御線の出力する制御信号を受け取りオフとされる第１トランジスタと、
前の１条の走査線の出力する走査信号を受け取り低電圧を提供する第２トランジスタと、
対応する走査線が出力する走査信号を受け取ってオンとされる第３トランジスタと、
該信号線の出力するデータ電圧を電流に変換して有機発光ダイオードに出力する第４トランジスタと、
第４トランジスタのスレショルド電圧を補償する第５トランジスタと、
を具えたことを特徴とする、アクティブマトリックス有機発光装置の画素回路。
【請求項２】
請求項１記載のアクティブマトリックス有機発光装置の画素回路において、第２トランジスタのゲートがドレインに連接され、並びに前の１条の走査線に電気的に連接されたことを特徴とする、アクティブマトリックス有機発光装置の画素回路。
【請求項３】
請求項１記載のアクティブマトリックス有機発光装置の画素回路において、第２トランジスタのゲートが前の１条の走査線に連接され、ドレインが低電圧信号に連接されたことを特徴とする、アクティブマトリックス有機発光装置の画素回路。
【請求項４】
請求項１記載のアクティブマトリックス有機発光装置の画素回路において、第１から第５トランジスタがＰＭＯＳとされたことを特徴とする、アクティブマトリックス有機発光装置の画素回路。
【請求項５】
請求項１記載のアクティブマトリックス有機発光装置の画素回路において、第１から第５トランジスタがＮＭＯＳとされたことを特徴とする、アクティブマトリックス有機発光装置の画素回路。
【請求項６】
請求項１記載のアクティブマトリックス有機発光装置の画素回路において、信号線が電源線とされると共に、そのレイアウト方式が走査信号に平行な方式とされたことを特徴とする、アクティブマトリックス有機発光装置の画素回路。
【請求項７】
アクティブマトリックス有機発光装置の回路駆動方法において、この方法はディスプレイパネルのマトリックス式回路に応用され、該マトリックス回路が複数条の平行配列された走査線、対応する走査線と平行な信号線及び制御線を具え、該回路駆動方法は、
制御信号を第ｋ条の水平線に入力して第ｋ条の制御線の第１トランジスタをオフとし、
走査信号を入力して第ｋ−１条の水平線の第２トランジスタをオンとして低電圧を書き込み、
次の走査信号を入力して第ｋ条の水平線の第３トランジスタをオンとし、データを第ｋ条の水平線の画素回路中及び、電圧制御を受ける第４トランジスタスイッチに書き込み、並びに第ｋ条の水平線画素回路の走査制御フローを終了する、以上のステップを具えたことを特徴とする、アクティブマトリックス有機発光装置の回路駆動方法。
【請求項８】
請求項７記載のアクティブマトリックス有機発光装置の回路駆動方法において、第１トランジスタのオフの時間が二つの水平走査線周期とされたことを特徴とする、アクティブマトリックス有機発光装置の回路駆動方法。
【請求項９】
請求項７記載のアクティブマトリックス有機発光装置の回路駆動方法において、第２トランジスタの走査信号のオンの時間幅が一つの水平走査周期とされたことを特徴とする、アクティブマトリックス有機発光装置の回路駆動方法。
【請求項１０】
請求項７記載のアクティブマトリックス有機発光装置の回路駆動方法において、次の走査信号の時間幅が一つの水平走査周期とされたことを特徴とする、アクティブマトリックス有機発光装置の回路駆動方法。
【発明の詳細な説明】
【０００１】
【発明の属する技術分野】
本発明は一種のアクティブマトリックス有機発光装置の画素回路と駆動方法に係り、特に、輝度均一化効果を提供するアクティブマトリックス有機発光装置の画素回路と駆動方法に関する。
【０００２】
【従来の技術】
有機発光装置（Ｏｒｇａｎｉｃ  ｌｉｇｈｔ  ｅｍｉｔｔｉｎｇ  ｄｅｖｉｃｅｓ；ＯＬＥＤ）は比較的新しい発光表示技術とされ、その発光原理は、上下二層の電極で有機薄膜を挟んだサンドイッチ構造により光を発生させるというもので、発生する光に装置を透過させるために、少なくとも一方の電極にＩＴＯのような透明電極が使用される。順方向バイアス電圧が装置のカソードとアノードの間に印加される時、カソードとアノードの発生する電子と正孔が、それぞれ発光材料に注入されて輻射性再結合の方式で光を発射する。
【０００３】
現在、有機発光装置の主要な用途はディスプレイパネルとされ、その画素回路は液晶表示回路（ＴＦＴ  ＬＣＤ）に類似のマトリックス式配列を採用し、伝統的な有機発光装置の画素回路１は図１に示されるようであり、それは走査線１２がトランジスタ１００に導通した後、さらにデータ線１０より電圧が提供され、その後、この電圧がトランジスタ１０２に保存され、それはトランジスタＶＧＳ電圧に等しい電圧とれ、トランジスタ１０１がこの電圧を電流に変換し、電流が信号線１１を通りトランジスタ１０１より有機発光ダイオードを流れ、ダイオードを発光させる。この電流公式は、Ｉ＝１／２ｋ（ＶＧＳ−Ｖｔ  ）２  とされ、このような周知の画素回路に存在する問題は、薄膜トランジスタ（ＴＦＴ）のスレショルド電圧（Ｖｔ  ）変異が大きく、これにより電流Ｉの変異が大きくなり、各画素回路中の有機発光装置の電流の違いが形成されてそのために輝度の均一性が変異することである。
【０００４】
図２はディスプレイパネルの局部画素回路２の回路レイアウト図である。仮に信号線２１の電圧ＶＤＤを１２Ｖとすると、フルホワイト画面を維持する時のデータ線２２の書き込み電圧は８Ｖとされ、第１走査線ＳＮ−１  走査導通後に、８ＶがＡ点に書き込まれ、これによりコンデンサ２３にかかる電圧は４Ｖとされ、且つトランジスタＭ１  はＶＧＳを受けて電流を生成して有機発光装置２４に流し、この電流は信号線２１よりトランジスタＭ１  を流れ、有機発光装置２４に至り、第１走査線ＳＮ−１  がオフされ、第２走査線ＳＮ  がオンされる時、データは８ＶでＢ点に書き込まれ、且つトランジスタＭ２  が電流生成開始し、この電流は信号線２１より来るが、ただし信号線２１上の寄生抵抗によりＣ点は１２Ｖでなくなり、則ち電圧降下によりＣ点が１２Ｖでなくなり、１２Ｖより低くなり、このため画素回路Ｐ２  上のコンデンサ２５の電圧が画素回路Ｐ１  のコンデンサ２３の電圧と等しくなくなり、同じデータを書き込む時の画面が上から下に不均一の現象を発生し、このような信号線２１上の寄生抵抗によりＶＤＤ電圧が加工する現象は、いわゆるＩ−Ｒドロップ（Ｉ−Ｒ  ＤＲＯＰ）と称される。
【０００５】
図３は別の周知の画素回路３を示し、この回路は４個の薄膜トランジスタ（ＴＦＴ）３０、３１、３２、３３及び二つのコンデンサ３６、３７を使用し、そのうちコンデンサ３６の容量はＣ１とされ、コンデンサ３７の容量はＣ２とされ、前述の４個のトランジスタは電圧を電流に変換する駆動トランジスタ３０と、スイッチとされる三つのトランジスタ３１、３２、３３とされる。駆動時には二つの状態があり、その一つはリセット状態（ＡｕｔｏＺｅｒｏ）とされ、トランジスタ３１、３２の短絡を利用し、トランジスタ３３をオフし、データ線３４が一つのＶＤＤデータを送り、トランジスタ３０はトランジスタ３２の短絡によりダイオードの連接を形成し、且つＡ点がトランジスタ３０のスレショルド電圧Ｖｔ１値を保存する。もう一つの状態は書き込み状態とされ、トランジスタ３２がオフとされ、データ線３４が正確データを送り、コンデンサのカプリングの原理により、Ａ点に保存される電圧は△Ｖ×ｃ１  ／（ｃ１  ＋ｃ２  ）＋Ｖｔ１の値とされ、△Ｖはカプリングされる電圧量とされ、トランジスタ３３がオンとされる時、Ａ点に保存される電圧によりトランジスタ３０が電流を生成し、その電流の計算式は、Ｉ＝１／２ｋ（ＶＧＳ−Ｖｔ  ）２  とされ、この式中のＶｔ  は消去可能で、これにより電流はただデータ線３４上の電圧と関係があるものとされて、トランジスタのスレショルド電圧Ｖｔ  とは無関係となり、これにより先の実施例中のパネルのスレショルド電圧の変異により電流、輝度の変異が形成される問題が克服される。しかし、この回路は四つのトランジスタと二つのコンデンサの使用を必要とし、コンデンサの占有する面積が比較的大きい。且つ二つの状態を有するために、二つのシーケンスの複雑な制御信号を必要とする。
【０００６】
図４はもう一種類の周知の画素回路４を示し、この画素回路４は四つの薄膜トランジスタ（ＴＦＴ）４１、４２、４３、４４と一つのコンデンサ４５を具え、そのうち、トランジスタ４１の機能はスイッチとされ、トランジスタ４２は電圧を電流に変換して有機発光ダイオード４６に提供し、トランジスタ４３、４４の機能はトランジスタ４２のスレショルド電圧（Ｖｔ  ）を補償することである。これにより、走査信号ＳＮがトランジスタ４１を導通させる時、まずデータ線４７は先に最低電圧を提供しなければならず、この時トランジスタ４４は導通し並びにＢ点の電圧がプルダウンされてトランジスタ４３が導通させられ、その後、データ線４７が更に比較的高い電圧ＶＤＡＴＡを提供し、Ｂ点の低電圧によりトランジスタ４３が導通し、これにより有機発光ダイオード４６に供給される電流の計算式は、
Ｉｄ＝ｋ（ＶＧＳ−Ｖｔ  ），ｋ＝１／２μ・ＣｏｘＷ／Ｌ  ．．．．（１）
ＶＧ４２  ＝ＶＢ  ＝ＶＡ  −Ｖｔ４３ ．．．．．．（２）
Ｉｄ＝ｋ（ＶＤＤ−（ＶＡ  −Ｖｔ４３  ）−Ｖｔ４２  ）２ ．．．．．．  （３）
【０００７】
計算式（３）中、通常、トランジスタ４２とトランジスタ４３の距離は近く、工程変異性は大きくなく、これによりＶｔ４３  ＝Ｖｔ４２  と見なせる。
【０００８】
則ち、計算式（２）中に代入して、Ｉｄ＝ｋ（ＶＤＤ−ＶＡ  ）２  ，ＶＡ  ＝ＶＤＡＴＡが得られ、電流がトランジスタのスレショルド電圧Ｖｔｈと関係の無いことが分かる。
【０００９】
そのうち、計算式（３）中のＶＧ４２  はトランジスタ４３のスレショルド電圧とされ、Ｖｔ４２  はトランジスタ４２のスレショルド電圧とされ、ＶＤＤは信号線４８の伝送する電圧とされる。
【００１０】
上述の数式から分かるように、この画素回路４を利用して、パネルのトランジスタ素子のスレショルド電圧変異の形成する輝度不均一の問題を克服でき、且つレイアウト面積もまた小さくすることができる。しかし、真正データ書き込みの前に、低電圧を提供しなければならず、この時、この電圧がトランジスタ４２に有機発光ダイオード（ＯＬＥＤ）４６に大電流を供給させ、スクリーン表示の輝度を先ず非常に明るくしてから正常に回復させる。このため有機発光ダイオードの寿命を短縮させ、画像品質を不良とする。且つ毎回データ駆動回路上で正確データ書き込み前に、先に低電圧を提供しなければならないため、操作が複雑となる。
【００１１】
【発明が解決しようとする課題】
上述のスレショルド電圧の影響によりパネル中の各有機発光装置の輝度が不均一となり電圧降下により輝度不均一となる問題を解決するため、本発明は一種のアクティブマトリックス有機発光装置の画素回路と駆動方法及びレイアウト方式を提供し、パネル輝度均一化の目的を達成する。
【００１２】
本発明は一種のアクティブマトリックス有機発光装置の画素回路と駆動方法とレイアウトを提供し、それは、第１トランジスタが制御線に連接されてもう一つの、前の１条の走査線に連接された第２トランジスタを、低電圧書き込み時に切断し、大電流の発生と電圧降下現象を防止する。
【００１３】
【課題を解決するための手段】
請求項１の発明は、アクティブマトリックス有機発光装置の画素回路において、該画素回路はディスプレイパネルのマトリックス式回路中に応用され、該マトリックス回路が複数条の平行配列された走査線、対応する走査線と平行な信号線及び制御線を具え、該画素回路は、
制御線の出力する制御信号を受け取りオフとされる第１トランジスタと、
前の１条の走査線の出力する走査信号を受け取り低電圧を提供する第２トランジスタと、
対応する走査線が出力する走査信号を受け取ってオンとされる第３トランジスタと、
該信号線の出力するデータ電圧を電流に変換して有機発光ダイオードに出力する第４トランジスタと、
第４トランジスタのスレショルド電圧を補償する第５トランジスタと、
を具えたことを特徴とする、アクティブマトリックス有機発光装置の画素回路としている。
請求項２の発明は、請求項１記載のアクティブマトリックス有機発光装置の画素回路において、第２トランジスタのゲートがドレインに連接され、並びに前の１条の走査線に電気的に連接されたことを特徴とする、アクティブマトリックス有機発光装置の画素回路としている。
請求項３の発明は、請求項１記載のアクティブマトリックス有機発光装置の画素回路において、第２トランジスタのゲートが前の１条の走査線に連接され、ドレインが低電圧信号に連接されたことを特徴とする、アクティブマトリックス有機発光装置の画素回路としている。
請求項４の発明は、請求項１記載のアクティブマトリックス有機発光装置の画素回路において、第１から第５トランジスタがＰＭＯＳとされたことを特徴とする、アクティブマトリックス有機発光装置の画素回路としている。
請求項５の発明は、請求項１記載のアクティブマトリックス有機発光装置の画素回路において、第１から第５トランジスタがＮＭＯＳとされたことを特徴とする、アクティブマトリックス有機発光装置の画素回路としている。
請求項６の発明は、請求項１記載のアクティブマトリックス有機発光装置の画素回路において、信号線が電源線とされると共に、そのレイアウト方式が走査信号に平行な方式とされたことを特徴とする、アクティブマトリックス有機発光装置の画素回路としている。
請求項７の発明は、アクティブマトリックス有機発光装置の回路駆動方法において、この方法はディスプレイパネルのマトリックス式回路に応用され、該マトリックス回路が複数条の平行配列された走査線、対応する走査線と平行な信号線及び制御線を具え、該回路駆動方法は、
制御信号を第ｋ条の水平線に入力して第ｋ条の制御線の第１トランジスタをオフとし、
走査信号を入力して第ｋ−１条の水平線の第２トランジスタをオンとして低電圧を書き込み、
次の走査信号を入力して第ｋ条の水平線の第３トランジスタをオンとし、データを第ｋ条の水平線の画素回路中及び、電圧制御を受ける第４トランジスタスイッチに書き込み、並びに第ｋ条の水平線画素回路の走査制御フローを終了する、以上のステップを具えたことを特徴とする、アクティブマトリックス有機発光装置の回路駆動方法としている。
請求項８の発明は、請求項７記載のアクティブマトリックス有機発光装置の回路駆動方法において、第１トランジスタのオフの時間が二つの水平走査線周期とされたことを特徴とする、アクティブマトリックス有機発光装置の回路駆動方法としている。
請求項９の発明は、請求項７記載のアクティブマトリックス有機発光装置の回路駆動方法において、第２トランジスタの走査信号のオンの時間幅が一つの水平走査周期とされたことを特徴とする、アクティブマトリックス有機発光装置の回路駆動方法としている。
請求項１０の発明は、請求項７記載のアクティブマトリックス有機発光装置の回路駆動方法において、次の走査信号の時間幅が一つの水平走査周期とされたことを特徴とする、アクティブマトリックス有機発光装置の回路駆動方法としている。
【００１４】
【発明の実施の形態】
本発明のアクティブマトリックス有機発光装置の画素回路は、制御線の出力する制御信号を受け取る第１トランジスタと、前の１条の走査線の出力する走査信号を受けて低電圧を提供する第２トランジスタと、対応する走査線が出力する走査信号を受けてオンとされる第３トランジスタと、信号線の出力するデータ電圧を電流に変換して有機発光ダイオードに出力する第４トランジスタと、スレショルド電圧を補償する第５トランジスタと、を具えている。
【００１５】
上述の画素回路により、本発明のアクティブマトリックス有機発光装置の回路駆動方法は、制御信号を第ｋ条の水平線に入力して第ｋ条とＫ＋１条制御線の第１トランジスタをオフとし、第ｋ−１条水平走査信号の入力により第２トランジスタをオンとし、低電圧を書き込んでスレショルド電圧を補償するトランジスタを動作させ、次の第Ｋ条水平走査信号を第ｋ条水平線の第３トランジスタに入力してオンとし、データを第ｋ条の水平線の画素回路中に書き込み、最後に第ｋ条の水平線画素回路の走査制御フローを終了する。
【００１６】
【実施例】
図５は本発明の好ましい実施例の画素回路５表示図であり、それは、データ線５０、前の１条の走査線５１、今回の走査線５２、信号線５３、第１トランジスタ５４、第２トランジスタ５５、第３トランジスタ５６、第４トランジスタ５７、第５トランジスタ５８、及び保存コンデンサ５９を具えている。
【００１７】
第１トランジスタ５４の機能はスイッチであり、それは制御線６１の出力する制御信号ＳＢＫ  を受けてオフとされる。第２トランジスタ５５は前の１条の走査線５１の出力する走査信号ＳＫ−１  を受けて低電圧を提供して第５トランジスタ５８を導通させ、この実施例では、該第２トランジスタ５５のゲート５５０は前の１条（第Ｋ−１条）の走査線５１に連接され、ドレイン５５１は低電圧信号（接地ＧＮＤ）に連接され、第３トランジスタ５６は今回（第Ｋ条）の走査線５２の入力する走査信号ＳＫ  を受け取りオンとされ並びにデータをＤ点に書き込み、則ちコンデンサに保存する。第４トランジスタ５７は保存コンデンサ５９のデータ電圧ＶＤＡＴＡＷＯ受け取りそれを電流に変換して有機発光ダイオード６０に出力し、第５トランジスタ５８は第３トランジスタ５６と第４トランジスタ５７の間に設けられて、第４トランジスタ５７のスレショルド電圧を打ち消す。
【００１８】
回路の実際の駆動状況については図６も併せて参照されたい。先ず、制御線６１が制御信号ＳＢｋ  を第１トランジスタ５４に送り第１トランジスタ５４をオフとし（切断）、同時に前の１条の走査線５１が走査信号ＳＫ−１  を第２トランジスタ５５に出力し、この走査信号ＳＫ−１  は低電圧とされ、これによりＤ点の電圧が先ず降下して第５トランジスタ５８を導通させ、ダイオード連接方式を形成し、電圧はＣ点及びＤ点の間でスレショルド電圧Ｖｔ５８  の差があり、その後、今回の走査線（則ち第ｋ条の走査線）５２が制御信号ＳＫ  を第３トランジスタ５６に送り第３トランジスタ５６を導通させ、この時、データ線５０が直接書き込み電圧ＶＤＡＴＡを第３トランジスタ５６に提供し、並びに第４トランジスタ５７が保存コンデンサ５９に保存させ、注意が必要であることは、このとき、第１トランジスタ５４が依然としてオフとされ、制御信号ＳＫ  が第３トランジスタ５６をオフとする時に、第１トランジスタ５４が再度導通して電流を発生し、このときＣ点の電圧ＶＣ  が第５トランジスタ５８にかかるスレショルド電圧Ｖｔ５８  を消去する。その計算式は、
ＶＧ５７  ＝ＶＤ  ＝ＶＣ  −Ｖｔ５８  である。
電流公式は、
Ｉｄ＝ｋ（ＶＧＳ−Ｖｔ  ），ｋ＝１／２μ・ＣｏｘＷ／Ｌ  ．．．．（１）
Ｉｄ＝ｋ（ＶＤＤ−（ＶＣ  −Ｖｔ５８  ）−Ｖｔ５７  ）２ ．．．．．．  （２）
である。
【００１９】
第４トランジスタ５７、第５トランジスタ５８は製造工程上、非常に近く、スレショルド電圧も等しく、ゆえに計算式（２）中、Ｖｔ５８  ＝Ｖｔ５７ ．．．．（３）
則ち、
Ｉｄ＝ｋ（ＶＤＤ−ＶＣ  ）２  ，ＶＣ  ＝ＶＤＡＴＡが得られ、電流がトランジスタのすと関係のないことが分かる。
【００２０】
そのうち、計算式（２）、（３）のＶｔ５７  は第４トランジスタ５７にかかるスレショルド電圧とされ、計算式（２）のＶＤＤは信号線５３の伝送する電圧である。
【００２１】
第１トランジスタ５４及び第３トランジスタ５６の機能はスイッチであり、第２トランジスタ５５は低電圧を提供し、第４トランジスタ５７の機能は電圧を電流に変換して有機発光ダイオード６０に提供することにあり、第５トランジスタ５８は第４トランジスタ５７のスレショルド電圧Ｖｔｈを補償する。
【００２２】
画素回路の走査制御フローは図７に示されるとおりであり、まず、ステップ７０が実行され、制御信号が第ｋ条の水平線に入力されて第ｋ条の水平線に至り第ｋ条の水平線の第５トランジスタスイッチをオフとし、この制御線の時間幅は２条の水平走査周期とされる。さらにステップ７１が実行され、走査信号が第ｋ−１条の水平線の第４トランジスタに入力されて低電圧が書き込まれ、そのうち、この走査信号オンの時間幅が一つの水平走査周期とされる。続いてステップ７２が実行され、次の走査信号が第ｋ条の水平線の第３トランジスタに入力されて第３トランジスタがオンとされてデータが第ｋ条の水平線の画素回路中に書き込まれ、この走査信号オンの時間幅もまた一つの水平走査線周期とされる。最後にステップ７３が実行され、第ｋ条の制御線の第５トランジスタスイッチがオンとされ、その後、第ｋ条の水平線の画素回路の走査制御フローが終了する。
【００２３】
図８は本発明の好ましい実施例の、信号線（電源線）電圧降下を解決する回路レイアウト方式を示し、そのうち、その信号線のレイアウト方式は、走査線と平行を呈するレイエアウト方式とされ、前述の駆動方式により、走査線ＳＮ−２  が導通する時、制御線ＳＢＫがトランジスタＴ１  とトランジスタＴ２  をオフとし、ゆえに信号線Ｖｄｄに電流がなく、走査線ＳＮ−１  が導通し、保存コンデンサに電圧を書き込む時、トランジスタＴ１  とトランジスタＴ２  もオフとされ、このとき、トランジスタＴ３  、Ｔ４  も制御線ＳＢＫ＋１の動作開始によりオフとされ、走査線ＳＮ−１  の動作が終了し、且つデータ線が同じ電圧を各画素の保存コンデンサ８０に書き込んだとき、トランジスタＴ１  とトランジスタＴ２  が導通し、第ＳＮ−１  条の有機発光素子８１、８２が発光開始し、信号線Ｖｄｄに電流が流れ、且つ電圧降下があっても、この電圧降下が突然発生して結合関係により保存コンデンサ上の電圧が顕著に下降することがなく、且つトランジスタＴ５  の駆動に関しては、Ｖｇｓの値は電圧が書き込まれてもまだ電流を発生しない時のＶｇｓの値と同様であり、これにより電圧降下現象（ＩＲ−ＤＲＯＰ）が各画素回路中の保存電圧に異なる影響を与えることがない。
【００２４】
【発明の効果】
以上は本発明のアクティブマトリックス有機発光装置の画素回路と駆動方法の詳細な説明であり、画素回路中に第１トランジスタをスイッチとして加えることにより、画素回路が駆動前に低電圧を書き込む時に第４トランジスタが大電流を発生してコントラスト不均一の現象を発生するのを防止し、また有機発光装置の寿命を増加する。
【００２５】
また、第１トランジスタは走査線が第２及び第３トランジスタに導通して電圧データ書き込みを行う時にはオフとされ、信号線上が無電流となり、則ち電圧降下現象（ＩＲ  Ｄｒｏｐ）がなく、ゆえに電圧降下現象の発生による輝度不均一の問題を解決できる。
【００２６】
総合すると、本発明のアクティブマトリックス有機発光装置の画素回路と駆動方法が目的と機能のいずれにおいても実施の進歩性を具備し、極めて産業上の利用価値を有することが十分に表示され、且つ本発明は未だ公開されておらず、完全に特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の有機発光装置画素回路表示図である。
【図２】周知のディスプレイパネル上の局部画素回路レイアウト方式表示図である。
【図３】周知の別の有機発光装置画素回路表示図である。
【図４】周知のさらに別の有機発光装置画素回路表示図である。
【図５】本発明の好ましい実施例の画素回路表示図である。
【図６】本発明の好ましい実施例の制御信号の波形表示図である。
【図７】本発明の好ましい実施例の画素回路の走査制御フローチャートである。
【図８】本発明の好ましい実施例の、信号線（電源線）電圧降下を解決する回路レイアウト図である。
【符号の説明】
１  画素回路
１０  データ線
１００〜１０２  トランジスタ
１１  信号線
２  ディスプレイパネルの局部画素回路
２１  信号線
２２  データ線
２３  コンデンサ
２４  有機発光装置
３  画素回路
３０〜３５  トランジスタ
３６、３７  コンデンサ
４  画素回路
４１〜４４  トランジスタ
４５  コンデンサ
４６  発光ダイオード
５０  データ線
５１  前の１条の走査線
５２  今回の走査線
５３  信号線
５４  第１トランジスタ
５５  第２トランジスタ
５６  第３トランジスタ
５７  第４トランジスタ
５８  第５トランジスタ
５９、８０  保存コンデンサ
６０  有機発光ダイオード
６１  制御線
８１、８２  有機発光素子
５５０  ゲート
５５１  ドレイン
【図１】
2004287376.tif 000003
【図２】
2004287376.tif 000004
【図３】
2004287376.tif 000005
【図４】
2004287376.tif 000006
【図５】
2004287376.tif 000007
【図６】
2004287376.tif 000008
【図７】
2004287376.tif 000009
【図８】
2004287376.tif 000010